(57)【要約】【課題】タグホルダをホルダ収容部に対して簡単な作業で正確に取付可能としたパレット及びタグホルダを提供する。【解決手段】タグホルダ４０は、一面にＩＣタグ１００が載置される載置面が構成された板部材４１と、載置面の周囲に立設され、載置面に対するＩＣタグ１００の位置を規制する周壁４２とによって構成され、ＩＣタグ１００を収容するタグ収容部４３と、ＩＣタグ１００をタグ収容部４３に保持する保持部５０と、ホルダ収容部の底部に係合し、タグホルダ４０をホルダ収容部に位置決めする位置決め突片４４とを備える。パレットは、ＩＣタグ１００を保持したタグホルダ４０がホルダ収容部に収容される。ホルダ収容部は、パレットのデッキボードにおいて、タグホルダ４０が挿入されるホルダ挿入口と、ホルダ収容部の底部に備える凹部であって、タグホルダ４０の位置決め突片４４が係合される位置決め凹部とを備える。【選択図】図２
2019048659.tif 000002
【特許請求の範囲】
【請求項１】
ＩＣタグを保持したタグホルダがホルダ収容部に収容されるパレットであって、
前記タグホルダは、
一面に前記ＩＣタグが載置される載置面が構成された板部材と、前記載置面の周囲に立設され、前記載置面に対する前記ＩＣタグの位置を規制する周壁とによって構成され、前記ＩＣタグを収容するタグ収容部と、
前記ＩＣタグを前記タグ収容部に保持する保持部と、
前記タグホルダの前記ホルダ収容部への挿入端から前記ホルダ収容部への挿入方向に突出した突片であって、前記ホルダ収容部の底部に係合し、前記タグホルダを前記ホルダ収容部に位置決めする位置決め突片とを備え、
前記ホルダ収容部は、
前記パレットのデッキボードにおいて、前記タグホルダが挿入されるホルダ挿入口と、
前記ホルダ収容部の底部に備える凹部であって、前記タグホルダの前記位置決め突片が係合される位置決め凹部とを備える
パレット。
【請求項２】
前記保持部は、折り曲げ可能な保持片と、
前記保持片の先端部に設けられる第１係止部と、
前記板部材又は前記周壁に設けられ、前記第１係止部と係止される第２係止部とを備える
請求項１に記載のパレット。
【請求項３】
前記保持片は、前記周壁の開口部に架け渡され、前記周壁の相対する部分に各端部が一連に繋がっている
請求項２に記載のパレット。
【請求項４】
前記デッキボードは、前記ホルダ挿入口の周囲から前記位置決め凹部の方向に延出される案内壁を備える
請求項１〜３のいずれか一項に記載のパレット。
【請求項５】
前記タグホルダは、前記挿入端とは反対側の端部において、前記案内壁に係止されるホルダ係止部を備える
請求項４に記載のパレット。
【請求項６】
パレットに形成されたホルダ収容部に取り付けられ、ＩＣタグを収容するタグホルダであって、
一面に前記ＩＣタグが載置される載置面が構成された板部材と、前記載置面の周囲に立設され、前記載置面に対する前記ＩＣタグの位置を規制する周壁とによって構成され、前記ＩＣタグを収容するタグ収容部と、
前記ＩＣタグを前記タグ収容部に保持する保持部と、
前記タグホルダの前記ホルダ収容部への挿入端から前記ホルダ収容部への挿入方向に突出した突片であって、前記ホルダ収容部の底部に係合し、前記タグホルダを前記ホルダ収容部に位置決めする位置決め突片とを備える
タグホルダ。
【発明の詳細な説明】
【技術分野】
【０００１】
本発明は、ＩＣタグを保持したタグホルダが収容されるパレット及びＩＣタグが保持されるタグホルダに関する。
【背景技術】
【０００２】
物品の運搬や保管などに用いられるパレットにおいては、パレット自体の管理やパレットに載置された物品の管理のためＩＣタグが取り付けられたものがある。（例えば、特許文献１参照）。特許文献１のパレットでは、ＩＣタグをタグホルダに保持し、タグホルダをパレットに収容している。パレットにタグホルダを介して取り付けられたＩＣタグは、管理装置と接続されたリーダライタと通信を行い、管理装置で、パレットや物品の管理を行うことができるようにする。
【先行技術文献】
【特許文献】
【０００３】
【特許文献１】特許第４９０１６１５号
【発明の概要】
【発明が解決しようとする課題】
【０００４】
以上のように、パレットは、該パレットのホルダ収容部にＩＣタグが保持されたタグホルダが収容されるものであるから、簡単な作業で、タグホルダがパレットの所定位置に正確に取り付けられることが望まれる。
【０００５】
本発明は、こうした実情に鑑みてなされたものであり、その目的は、タグホルダをホルダ収容部に対して簡単な作業で正確に取付可能としたパレット及びタグホルダを提供することにある。
【課題を解決するための手段】
【０００６】
上記課題を解決するパレットは、ＩＣタグを保持したタグホルダがホルダ収容部に収容されるパレットであって、前記タグホルダは、一面に前記ＩＣタグが載置される載置面が構成された板部材と、前記載置面の周囲に立設され、前記載置面に対する前記ＩＣタグの位置を規制する周壁とによって構成され、前記ＩＣタグを収容するタグ収容部と、前記ＩＣタグを前記タグ収容部に保持する保持部と、前記タグホルダの前記ホルダ収容部への挿入端から前記ホルダ収容部への挿入方向に突出した突片であって、前記ホルダ収容部の底部に係合し、前記タグホルダを前記ホルダ収容部に位置決めする位置決め突片とを備え、前記ホルダ収容部は、前記パレットのデッキボードにおいて、前記タグホルダが挿入されるホルダ挿入口と、前記ホルダ収容部の底部に備える凹部であって、前記タグホルダの前記位置決め突片が係合される位置決め凹部とを備える。
【０００７】
上記構成によれば、タグホルダの位置決め突片と位置決め凹部とを係合させるだけで、タグホルダをホルダ収容部に対して位置決めして正確に取り付けることができる。
上記パレットについて、前記保持部は、折り曲げ可能な保持片と、前記保持片の先端部に設けられる第１係止部と、前記板部材又は前記周壁に設けられ、前記第１係止部と係止される第２係止部とを備えることが好ましい。
【０００８】
上記構成によれば、第１係止部と第２係止部とが外れた状態で、ＩＣタグのタグ収容部への挿入作業を行う。そして、ＩＣタグが載置面に載置された後、第１係止部と第２係止部とを係止させることで、タグ収容部に対してＩＣタグを保持させることができる。保持片は、折り曲げ可能であり、保持片がＩＣタグの形状に倣って撓むことでＩＣタグをタグ収容部に確実に収容することができる。
【０００９】
上記パレットについて、前記保持片は、前記周壁の開口部に架け渡され、前記周壁の相対する部分に各端部が一連に繋がっていることが好ましい。
上記構成によれば、保持片が開口部に架け渡されることで、ＩＣタグを保持片が存在しない領域からタグ収容部に挿入することができ、その後は、保持片によってＩＣタグをタグ収容部に保持させることができる。ＩＣタグをタグホルダに保持させる作業が容易となる。
【００１０】
上記パレットについて、前記デッキボードは、前記ホルダ挿入口の周囲から前記位置決め凹部の方向に延出される案内壁を備えることが好ましい。
上記構成によれば、タグホルダがホルダ挿入口からホルダ収容部に挿入されるとき、タグホルダが正しい姿勢で挿入されやすくなり、位置決め突片が位置決め凹部に高い確度で係合されるようになる。
【００１１】
上記パレットについて、前記タグホルダは、前記挿入端とは反対側の端部において、前記案内壁に係止されるホルダ係止部を備えることが好ましい。
上記構成によれば、案内壁にホルダ係止部が係止されることでタグホルダのホルダ収容部から抜ける方向に位置ずれすることを抑制することができる。
【００１２】
上記課題を解決するタグホルダは、パレットに形成されたホルダ収容部に取り付けられ、ＩＣタグを収容するタグホルダであって、一面に前記ＩＣタグが載置される載置面が構成された板部材と、前記載置面の周囲に立設され、前記載置面に対する前記ＩＣタグの位置を規制する周壁とによって構成され、前記ＩＣタグを収容するタグ収容部と、前記ＩＣタグを前記タグ収容部に保持する保持部と、前記タグホルダの前記ホルダ収容部への挿入端から前記ホルダ収容部への挿入方向に突出した突片であって、前記ホルダ収容部の底部に係合し、前記タグホルダを前記ホルダ収容部に位置決めする位置決め突片とを備える。
【００１３】
上記構成によれば、タグホルダの位置決め部をパレットのホルダ収容部に係合させるだけで、タグホルダをパレットのホルダ収容部に位置決めして正確に取り付けることができる。
【発明の効果】
【００１４】
本発明によれば、タグホルダをホルダ収容部に対して簡単な作業で正確に取り付けることができる。
【図面の簡単な説明】
【００１５】
【図１】パレットの第１の実施形態の上面側を示す斜視図。
【図２】同実施形態のパレットに取り付けられるタグホルダの構成を示す斜視図。
【図３】同実施形態のパレットに取り付けられるタグホルダの構成を示す平面図。
【図４】同実施形態のパレットに取り付けられるタグホルダの構成を示す側面図。
【図５】同実施形態のパレットに取り付けられるタグホルダの構成を示す底面図。
【図６】同実施形態のパレットにタグホルダが取り付けられた状態の断面構造を示す斜視図。
【図７】同実施形態のパレットにタグホルダが取り付けられた状態を示す断面図。
【図８】パレットに取り付けられるタグホルダの第２の実施形態の構成を示す斜視図。
【図９】同実施形態のタグホルダの構成を示す平面図。
【図１０】同実施形態のタグホルダの構成を示す側面図。
【図１１】同実施形態のタグホルダの構成を示す底面図。
【図１２】同実施形態のパレットにタグホルダが取り付けられた状態を示す断面図。
【発明を実施するための形態】
【００１６】
（第１の実施形態）
以下、図１〜図７を参照して、パレットに取り付けられるタグホルダの第１の実施形態について説明する。パレットは、二方差しの両面パレットである。
【００１７】
図１に示すように、パレット１は、上部パレット形成部材２と下部パレット形成部材３とを備えている。上部パレット形成部材２と下部パレット形成部材３とは、相互に溶着されている。
【００１８】
上部パレット形成部材２は、矩形板状を有するデッキボード２０と、デッキボード２０から下部パレット形成部材３に向けて延びる上部桁２１とを備えている。デッキボード２０の外面が載荷面２２となる。下部パレット形成部材３は、矩形板状を有する接地ボード３０と、接地ボード３０から上部パレット形成部材２に向けて延びる下部桁３１とを備えている。
【００１９】
パレット１のデッキボード２０は、ＩＣタグ１００を収容したタグホルダ４０が挿入されるホルダ挿入口１１を備えている。ホルダ挿入口１１は、一例として、載荷面２２の中央付近に位置している。
【００２０】
図２〜図５に示すように、タグホルダ４０は、ＩＣタグ１００が載置される板部材４１と、板部材４１の周囲に立設された周壁４２とを備えている。タグホルダ４０は、ポリプロピレンなどの合成樹脂で成形してもよいし、Ａｌなどの金属板を折曲して成形することもできる。タグホルダ４０を合成樹脂で成形したときには、板部材４１に対してＡｌなどの金属シートを貼り合わせることによって、通信感度を高めることができる。
【００２１】
ここで、ＩＣタグ１００は、無線電波を利用して非接触でＩＣチップの中のデータを読み書きするＲＦＩＤ（Radio Frequency Identification）技術を利用したもので、ＩＣチップに、パレット自体の管理やパレットに載置された物品の管理のための管理情報が格納される。ＩＣタグ１００は、記憶領域に識別情報や管理情報などを格納するＩＣチップと小型のアンテナとで構成され、これらの情報が書き込まれる。ＩＣタグ１００は、通常、電源を持っておらず、まずリーダライタが発振する無線電波をアンテナで受信することによって通信が可能になり、情報の書き込みや読み出しが行われる。図２に示すように、ＩＣタグ１００は、ＩＣチップと小型のアンテナが矩形形状を有する筐体内に配置されている。
【００２２】
板部材４１は、細長い矩形形状を有しており、その一面は、ＩＣタグ１００が載置される載置面となっている。この載置面上において、周壁４２に囲まれた空間には、ＩＣタグ１００を収容するタグ収容部４３が構成されている。タグ収容部４３は、載置面上であって、周壁４２の先端部に開口部４１Ａを備えている。周壁４２は、板部材４１の長辺に沿って載置面に立設された一対の長辺壁４２Ａ，４２Ｂと、板部材４１の短辺に沿って載置面に立設された一対の短辺壁４２Ｅ，４２Ｆとを備えている。また、板部材４１には、ホルダ挿入口１１への挿入端となる短辺壁４２Ｅと反対側の短辺壁４２Ｆの近くに、タグホルダ４０の強度を補強する補助壁４２Ｇが立設されている。具体的には、タグ収容部４３は、短辺壁４２Ｅと補助壁４２Ｇと一対の長辺壁４２Ａ，４２Ｂとによって囲まれた空間部に構成される。
【００２３】
一対の長辺壁４２Ａ，４２Ｂの間隔は、ＩＣタグ１００の幅とほぼ一致しており、長辺壁４２Ａ，４２Ｂ間でのＩＣタグ１００のがたつきを抑制している。一対の長辺壁４２Ａ，４２Ｂは、中央に切欠部４２Ｃ，４２Ｄを備えている。切欠部４２Ｃ，４２Ｄは、一対の長辺壁４２Ａ，４２Ｂの途中を途切らせて、ＩＣタグ１００の挿脱作業を行い易くしている。また、短辺壁４２Ｅと補助壁４２Ｇとの間隔は、ＩＣタグ１００の長さより長い。したがって、長手方向において、タグ収容部４３は、ＩＣタグ１００に対する余裕を有しており、長さの異なる複数種類のＩＣタグ１００を収容できるようになっている。ただし、ＩＣタグ１００は、保持片５１に重なる程度の長さを有することが好ましい。
【００２４】
タグホルダ４０は、ＩＣタグ１００を保持する保持部５０を備えている。保持部５０は、保持片５１と、保持片５１と係止する係止片５２とを備え、タグ収容部４３において、保持片５１と板部材４１との間でＩＣタグ１００を保持する。保持片５１は、周壁４２の切欠部４２Ｃ，４２Ｄの位置において、板部材４１と一体の片であり、板部材４１の一方の長辺から延出している。保持片５１は、折り曲げ可能であり、開口部４１Ａを横断する長さを有している。保持片５１は、ＩＣタグ１００をタグ収容部４３に保持する際に、ＩＣタグ１００の上に延在する。保持片５１の先端部には、第１係止部５３が備えられている。第１係止部５３は、具体的には、貫通孔で構成されている。係止片５２は、板部材４１の他方の長辺に立設されている。係止片５２の先端部には、第１係止部５３と係止する第２係止部５４が備えられている。第２係止部５４は、具体的には、係止爪で構成されている。第１係止部５３の貫通孔には、第２係止部５４の係止爪が挿入され、係止爪が貫通孔の周縁に係止される。すなわち、保持片５１は、曲がっていない状態で、ＩＣタグ１００の取付作業が行われ、（図３参照）、第１係止部５３と第２係止部５４とを係止する際に、載置面上のＩＣタグ１００の上に延在するように曲げられ、第１係止部５３と第２係止部５４とが係止される（図２参照）。
【００２５】
ホルダ挿入口１１への挿入端となる短辺壁４２Ｅには、パレット１に対して位置決めする位置決め突片４４を備えている。位置決め突片４４は、短辺壁４２Ｅの高さ方向における中程から突出した突片である。位置決め突片４４は、一対の長辺壁４２Ａ，４２Ｂと平行な両側面に、先端に向かって幅が狭くなる第１テーパ部４４Ａを備えている。第１テーパ部４４Ａは、ホルダ挿入口１１や位置決め凹部１３へ誘導する。
【００２６】
板部材４１における短辺壁４２Ｆと補助壁４２Ｇとの間には、短辺壁４２Ｆから補助壁４２Ｇの方向に向かって突出した弾性片４５Ａを備えている。弾性片４５Ａは、先端部に、デッキボード２０と係止するホルダ係止部４５を備えている。弾性片４５Ａは、短辺壁４２Ｆと補助壁４２Ｇとの間において、弾性片４５Ａの周囲を打ち抜きまたは切り欠き、短辺壁４２Ｆ側を基端部として構成された片である。ホルダ係止部４５は、板部材４１の載置面に対する反対面から突出している。ホルダ係止部４５は、短辺壁４２Ｆ側の面が弾性片４５Ａに対して垂直面であり、案内壁１２の先端部に確実に係止されるように構成されている。また、ホルダ係止部４５は、補助壁４２Ｇ側の面が傾斜面で構成され、ホルダ挿入口１１からの挿入時において、案内壁１２を乗り越えやすく構成されている（図４参照）。
【００２７】
なお、板部材４１の載置面とは反対側の面には、凹条部４６が設けられている。凹条部４６は、板部材４１を減容して軽量化を図ると共に、長手方向をホルダ挿入口１１への挿入方向に合わせることで、作業者にタグホルダ４０のホルダ挿入口１１への挿入方向を示唆するように構成されている。
【００２８】
図６及び図７に示すように、以上のように構成されたタグホルダ４０が挿入されるパレット１のホルダ収容部１０は、デッキボード２０と接地ボード３０との間に設けられている。ホルダ収容部１０は、タグホルダ４０を挿入されるホルダ挿入口１１と、底部において位置決め突片４４と係合する位置決め凹部１３とを備えている。そして、ホルダ挿入口１１と位置決め凹部１３との間は、ホルダ挿入口１１と連続しタグホルダ４０を収容するホルダ収容空間部１５が構成されている。ホルダ収容空間部１５は、上部桁２１および下部桁３１を構成する壁部によって構成されるデッキボード２０と接地ボード３０との間の空間部である。
【００２９】
ホルダ挿入口１１は、デッキボード２０の中央付近に、タグホルダ４０を位置決め突片４４を挿入端として挿入可能な大きさと形状を有しており、ここでは矩形形状を有している。位置決め凹部１３は、接地ボード３０に設けられ、位置決め突片４４が挿入される凹部であって、デッキボード２０側が開口している。位置決め凹部１３は、位置決め突片４４を挟み込む一対の相対する壁部１３Ｃで構成されている。一対の壁部１３Ｃは、ホルダ挿入口１１に近いほど拡がるテーパ形状である第２テーパ部１３Ａを備えている。第２テーパ部１３Ａは、位置決め突片４４の板部材４１と平行な面と当接する壁部に設けられている。第２テーパ部１３Ａは、位置決め突片４４と当接して位置決め凹部１３の奥へ誘導する。位置決め凹部１３は、接地ボード３０の表面まで貫通している貫通孔１３Ｂを有している。このため、貫通孔１３Ｂから目視によって位置決め凹部１３にタグホルダ４０の位置決め突片４４が係合しているかを確認することで、接地ボード３０側からタグホルダ４０の取り付け有無を確認することができる。
【００３０】
ホルダ挿入口１１の周囲には、ホルダ収容空間部１５側に向かって案内壁１２を備えている。案内壁１２は、ホルダ挿入口１１から挿入されたタグホルダ４０を支持し、挿入途中のタグホルダ４０のホルダ収容空間部１５内での姿勢を規制し、位置決め突片４４がホルダ収容空間部１５の底部に位置する位置決め凹部１３に挿入されやすくする。また、案内壁１２における先端部は、ホルダ係止部４５が係止される。すなわち、ホルダ係止部４５が案内壁１２を通過しているときホルダ係止部４５が案内壁１２の表面に当接することで弾性片４５Ａが押されて変位し、ホルダ係止部４５が案内壁１２を通過すると、弾性片４５Ａが弾性復帰して、ホルダ係止部４５が案内壁１２の先端部に係止される。
【００３１】
次に、パレット１及びタグホルダ４０の作用について説明する。
まず、ＩＣタグ１００をタグホルダ４０に収容する。
図３に示すように、タグホルダ４０の保持片５１が折り曲げられていない状態で、ＩＣタグ１００をタグホルダ４０のタグ収容部４３に載置する。なお、ＩＣタグ１００は、タグ収容部４３に載置可能な大きさであれば、タグホルダ４０に収容可能である。このとき、図２に示すように、ＩＣタグ１００は、タグホルダ４０のタグ収容部４３のホルダ挿入口１１への挿入端となる短辺壁４２Ｅに突き当てられた状態で載置される。短辺壁４２Ｅは、ＩＣタグ１００が突き当てられることで、タグ収容部４３でのＩＣタグ１００の載置位置を規定する基準部となる。そして、作業者が保持片５１の第１係止部５３を持って保持片５１を折り曲げて、第１係止部５３を第２係止部５４に係止する。すると、保持片５１がＩＣタグ１００と対向した状態で延在する。このとき、ＩＣタグ１００の厚みや形状に応じて、保持片５１の折り曲げ量が変化する。タグ収容部４３に収容されたＩＣタグ１００は、板部材４１と周壁４２と保持片５１とによってタグ収容部４３から脱落が防止された状態となる。なお、ＩＣタグ１００を板部材４１の載置面に載置する際、ＩＣタグ１００と載置面とを、両面テープや接着剤などの接着手段で固定したときには、載置位置に対して一層しっかりと固定することができる。
【００３２】
続いて、ＩＣタグ１００が収容されたタグホルダ４０をパレット１に取り付ける。
図６及び図７に示すように、タグホルダ４０の位置決め突片４４の側を挿入端としてタグホルダ４０をパレット１のホルダ挿入口１１に挿し込む。すると、タグホルダ４０は、案内壁１２に案内されながらデッキボード２０側から接地ボード３０側へ更に挿し込まれる。そして、タグホルダ４０の位置決め突片４４が位置決め凹部１３に当接すると、第１テーパ部４４Ａと第２テーパ部１３Ａとによって位置決め突片４４が位置決め凹部１３に誘導される。そして、タグホルダ４０の短辺壁４２Ｅが位置決め凹部１３を構成する壁部１３Ｃの先端部に当接する。これにより、タグホルダ４０は、ホルダ収容部１０内での上下方向、板部材４１の長辺における位置が規定される。すなわち、位置決め凹部１３の凹部を構成する壁部１３Ｃの先端は、短辺壁４２Ｅが突き当てられることで、タグホルダ４０のホルダ収容部１０内における挿入方向の位置を規定する基準部となる。また、タグホルダ４０のホルダ係止部４５が案内壁１２の先端部に係止される。これにより、タグホルダ４０は、ホルダ挿入口１１から抜け落ちることが抑制される。
【００３３】
以上説明したように、本実施形態によれば、以下の効果を奏することができる。
（１−１）タグホルダ４０の位置決め突片４４とパレット１の位置決め凹部１３とを係合させるだけで、タグホルダ４０をパレット１のホルダ収容部１０に正確に位置決めして取り付けることができる。具体的に、位置決め凹部１３を構成する壁部１３Ｃの先端には、短辺壁４２Ｅが突き当てられることで、タグホルダ４０のホルダ収容部１０内における挿入方向の位置が正確に規定される。また、ＩＣタグ１００自体も、ホルダ挿入口１１への挿入端となる短辺壁４２Ｅに突き当てられることで、タグ収容部４３内での位置が正確に規定される。その結果、パレット１に対するＩＣタグ１００の位置が正確に決まり、リーダライタと確実に通信することができる。
【００３４】
（１−２）タグホルダ４０のタグ収容部４３に収容されたＩＣタグ１００を折り曲げ可能な保持片５１で保持するため、板部材４１の載置面にＩＣタグ１００を確実に収容することができる。
【００３５】
（１−３）タグホルダ４０がホルダ挿入口１１からホルダ収容部１０に挿入されるとき、タグホルダ４０が正しい姿勢で挿入されやすくなり、位置決め突片４４が位置決め凹部１３に高い確度で係合されるようになる。
【００３６】
（１−４）タグホルダ４０のホルダ係止部４５がパレット１の案内壁１２の先端部に係止されることでタグホルダ４０がホルダ収容部１０から抜けることを防ぐことができる。
（１−５）タグホルダ４０をパレット１に挿入した際に、位置決め突片４４が位置決め凹部１３の第２テーパ部１３Ａに沿って誘導されるため、タグホルダ４０のホルダ収容部１０への挿入作業を容易なものとすることができる。
【００３７】
（第２の実施形態）
以下、図８〜図１２を参照して、パレットに取り付けられるタグホルダの第２の実施形態について説明する。この実施形態のタグホルダは、ＩＣタグ１００を保持する保持部５０の構成が異なる点が上記第１の実施形態と異なっている。以下、第１の実施形態との相違点を中心に説明する。
【００３８】
図８〜図１２に示すように、タグホルダ１４０は、板部材１４１と、板部材１４１の面から立設する四角形の周壁１４２とを備えている。そして、この板部材１４１と周壁１４２とによって形成されて、周壁１４２の一端が開口した空間がタグ収容部１４３である。
【００３９】
タグホルダ１４０の保持部１５０は、周壁１４２のうち対向する長辺壁１４２Ａ，１４２Ｂに架けられ、各端部が長辺壁１４２Ａ，１４２Ｂに一連に繋がっている板状部である。保持部１５０は、短辺壁１４２Ｅと補助壁１４２Ｇと一対の長辺壁１４２Ａ，１４２Ｂとによって囲まれた開口部を２つに区画し、短辺壁１４２Ｅに近い側の開口部１４３Ｂより補助壁１４２Ｇに近い側の開口部１４３Ａが大きく構成されている。保持部１５０は、タグ収容部１４３にＩＣタグ１００を挿入する開口部１４３Ａを確保する位置に設けられている。このタグホルダ１４０の保持部１５０は位置の変化がなく固定されているため、上記の開口部１４３ＡからＩＣタグ１００を挿入することでタグ収容部１４３にＩＣタグ１００を収容することができる。
【００４０】
板部材１４１には、保持部１５０と対向する部分に貫通部１４１Ａが設けられている。板部材１４１の裏面から貫通部１４１Ａに露出しているＩＣタグ１００を押すことで、ＩＣタグ１００を板部材１４１から浮かすことができる。
【００４１】
次に、パレット１及びタグホルダ１４０の作用について説明する。
まず、ＩＣタグ１００をタグホルダ１４０に収容する。
図８に示すように、タグホルダ１４０の開口部１４３ＡからＩＣタグ１００をタグホルダ１４０のタグ収容部１４３に挿入して、タグ収容部１４３に載置する。このとき、ＩＣタグ１００は、タグホルダ１４０のタグ収容部１４３の短辺壁１４２Ｅに突き当てた状態で載置される。タグ収容部１４３に収容されたＩＣタグ１００は、板部材１４１と周壁１４２と保持部１５０とによってタグ収容部１４３から外れない状態に維持されている。
【００４２】
続いて、ＩＣタグ１００が収容されたタグホルダ１４０をパレット１に取り付ける。
図１２に示すように、タグホルダ１４０は、第１の実施形態と同様に、パレット１のホルダ挿入口１１から挿入されて、パレット１に取り付けられる。よって、タグホルダ１４０は、位置決め突片４４が位置決め凹部１３に位置決めされるとともに、ホルダ係止部４５が案内壁１２の先端部に係止されるため、タグホルダ１４０の位置ずれを抑制することができる。
【００４３】
以上説明したように、本実施形態によれば、さらに以下のような効果を得ることができる。
（２−１）タグホルダ１４０の保持部１５０がＩＣタグ１００の開口部１４３Ａを確保した位置において周壁１４２に一連に架けられているため、ＩＣタグ１００をタグ収容部１４３に収容することが容易である。
【００４４】
なお、上記実施形態は、これを適宜変更した以下の形態にて実施することもできる。
・上記各実施形態では、ホルダ係止部４５と案内壁１２の先端部とを係止させたが、ホルダ収容部１０に対するタグホルダ４０，１４０の位置決めが十分であれば、ホルダ係止部４５と案内壁１２の先端部との構成を省略してもよい。また、案内壁１２の途中に貫通孔や凹部を設け、貫通孔や凹部にホルダ係止部４５が係止される構成としてもよい。
【００４５】
・上記各構成において、図６，７，１２に二点鎖線で示すように、ホルダ収容部１０の案内壁１２には、タグホルダ４０，１４０の挿入方向に延出する延出部１６を備えてもよい。このようにすれば、タグホルダ４０，１４０を挿入する際に、ホルダ収容部１０のホルダ挿入口１１の延出部１６に沿って誘導されるため、案内壁１２だけの場合よりもタグホルダ４０，１４０の挿入が容易であり、位置決めが更に容易である。なお、案内壁１２の構成を省略してもよい。
【００４６】
・上記第１の実施形態では、第２係止部５４を板部材４１に設けたが、第２係止部５４を周壁４２に設けてもよい。
・上記第１の実施形態では、保持片５１を板部材４１に設けたが、保持片５１を周壁４２に設けてもよい。
【００４７】
・上記第２の実施形態では、板部材１４１に貫通部１４１Ａを設けたが、貫通部１４１Ａの構成を省略してもよい。
・上記各実施形態では、位置決め凹部１３に第２テーパ部１３Ａを設けたが、第２テーパ部１３Ａの構成を省略してもよい。また、位置決め突片４４にも第１テーパ部４４Ａの構成を省略してもよい。
【００４８】
・上記各実施形態では、位置決め凹部１３が接地ボード３０の表面まで貫通した貫通孔１３Ｂを有したが、接地ボード３０まで貫通しない凹部としてもよい。
・上記各構成において、パレット１は、二方差しのパレットにおいて片面が載荷面に設定された片面使用のパレットであってもよいし、片面使用あるいは両面使用の四方差しのパレットであってもよい。
【００４９】
・上記各構成において、ホルダ収容部１０の位置は、パレット１のいずれの位置であってもよい。また、接地ボード３０にホルダ挿入口を設けて、デッキボード２０に位置決め凹部を設けてもよい。
【符号の説明】
【００５０】
１…パレット、２…上部パレット形成部材、３…下部パレット形成部材、１０…ホルダ収容部、１１…ホルダ挿入口、１２…案内壁、１３…位置決め凹部、１３Ａ…第２テーパ部、１３Ｂ…貫通孔、１３Ｃ…壁部、１５…ホルダ収容空間部、１６…延出部、２０…デッキボード、２１…上部桁、２２…載荷面、３０…接地ボード、３１…下部桁、４０…タグホルダ、４１…板部材、４１Ａ…開口部、４２…周壁、４２Ａ…長辺壁、４２Ｂ…長辺壁、４２Ｃ…切欠部、４２Ｄ…切欠部、４２Ｅ…短辺壁、４２Ｆ…短辺壁、４２Ｇ…補助壁、４３…タグ収容部、４４…位置決め突片、４４Ａ…第１テーパ部、４５…ホルダ係止部、４５Ａ…弾性片、４６…凹条部、５０…保持部、５１…保持片、５２…係止片、５３…第１係止部、５４…第２係止部、１００…ＩＣタグ、１４０…タグホルダ、１４１…板部材、１４１Ａ…開口部、１４２…周壁、１４２Ａ…長辺壁、１４２Ｂ…長辺壁、１４２Ｅ…短辺壁、１４２Ｆ…短辺壁、１４２Ｇ…補助壁、１４３…タグ収容部、１４３Ａ，１４３Ｂ…開口部、１５０…保持部。
【図１】
2019048659.tif 000003
【図２】
2019048659.tif 000004
【図３】
2019048659.tif 000005
【図４】
2019048659.tif 000006
【図５】
2019048659.tif 000007
【図６】
2019048659.tif 000008
【図７】
2019048659.tif 000009
【図８】
2019048659.tif 000010
【図９】
2019048659.tif 000011
【図１０】
2019048659.tif 000012
【図１１】
2019048659.tif 000013
【図１２】
2019048659.tif 000014